【手続補正書】
【提出日】平成18年7月26日(2006.7.26)
【手続補正１】
【補正対象書類名】明細書
【補正対象項目名】特許請求の範囲
【補正方法】変更
【補正の内容】
【特許請求の範囲】
【請求項１】  頂板部とスカート部とからなり且つスカート部内周壁には容器口部のネジと係合するネジを備えたキャップ本体と、スカート部下方に位置し且つ開栓に際して容器口部のあご部に係止される周状バンドと、スカート部下端と周状バンドとの接続部とからなり、前記接続部は周状に分布して配置された複数の破断可能なブリッジと、前記ブリッジ間に配置されたスカート部下端と周状バンドとの垂直方向及びキャップの閉栓方向への係止部とからなり、開栓に際しては前記周状バンドが容器口部に保持されるプラスチックキャップにおいて、前記周状バンドには取り外しのための弱化部が上下方向に形成され、前記弱化部は薄肉部或いは該薄肉部と切り欠き部との組合せから成り、前記弱化部に対し、周状バンドの開栓方向側端部乃至その近傍に破断可能なブリッジが位置し且つ周状バンドの閉栓方向側端部からブリッジが離隔して位置するように、両ブリッジが前記弱化部に対して非対称に配置されていることを特徴とするプラスチックキャップ。
【請求項２】  弱化部に対し開栓方向側バンド端部に位置するブリッジとこのブリッジの閉栓方向側に隣り合ったブリッジとの間に、スカート部下端と周状バンドとのキャップの閉栓方向への係止部が位置しており、且つ弱化部に対し開栓方向側バンド端部に位置するブリッジとこのブリッジの開栓方向側に隣り合ったブリッジとの間には、スカート部下端と周状バンドとの垂直方向への係止部が位置していることを特徴とする請求項１に記載のプラスチックキャップ。
【請求項３】  前記弱化部が切り欠き部と少なくとも１個の薄肉連結部とからなり且つ前記連結部は周状バンドの少なくとも下側に設けられていることを特徴とする請求項１または２に記載のプラスチックキャップ。
【請求項４】  前記薄肉部または薄肉連結部が周方向に厚みが減少する勾配を有していることを特徴とする請求項１乃至３の何れかに記載のプラスチックキャップ。
【請求項５】  前記周状バンドが径内向に厚肉となった逆Ｌ字型断面構造の上端部を有することを特徴とする請求項１乃至４の何れかに記載のプラスチックキャップ。
【請求項６】  前記周状バンドの容器口部のあご部への係止手段が上下に折り曲げ可能な周状のフラップ片であり、該フラップ片が中心側から周状バンドの内面に径方向に延びる幅の広い切り欠き部により周方向に分割されており且つ幅広の切り欠き部間にフラップ片の先端から付け根への途中に至る幅の狭い切り欠き部を備えていることを特徴とする請求項１乃至５の何れかに記載のプラスチックキャップ。
【請求項７】  弱化部が幅広の切り欠き部に重なる位置にあることを特徴とする請求項６に記載のプラスチックキャップ。
【請求項８】  前記弱化部がスカート部の垂直方向にネジが１条で存在する部分に設けられていることを特徴とする請求項１乃至７の何れかに記載のプラスチックキャップ。
【請求項９】  周状バンドには指の掛かりをよくするためのタブ或いは切り欠き部を設けたことを特徴とする請求項１乃至８の何れかに記載のプラスチックキャップ。
【請求項１０】  請求項１乃至９の何れかに記載のプラスチックキャップと、該プラスチックキャップ内に収納され、容器口部を密封する中栓とからなり、
前記中栓は、容器口部が挿入される溝を備えたフランジ部と、フランジ部の下部の内周側に形成された水平壁と、フランジ部の内周上部に設けられた注ぎ口と、水平壁の開口予定部と、開口予定部を区画する開口用スコアと、開口予定部に設けられた開口用タブとから形成されており、
前記フランジ部の下部内周には下方への筒状延長部からなる容器口部のガイドが形成されており、
前記フランジ部の外周下部には薄片状の突起部が形成されており、プラスチックキャップのネジの上部にはこの薄片状突起部と係止可能な環状突起部が形成されていることを特徴とする中栓付プラスチックキャップ。 
【手続補正２】
【補正対象書類名】明細書
【補正対象項目名】００１０
【補正方法】変更
【補正の内容】
【００１０】
【課題を解決するための手段】
本発明によれば、頂板部とスカート部とからなり且つスカート部内周壁には容器口部のネジと係合するネジを備えたキャップ本体と、スカート部下方に位置し且つ開栓に際して容器口部のあご部に係止される周状バンドと、スカート部下端と周状バンドとの接続部とからなり、前記接続部は周状に分布して配置された複数の破断可能なブリッジと、前記ブリッジ間に配置されたスカート部下端と周状バンドとの垂直方向及びキャップの閉栓方向への係止部とからなり、開栓に際しては前記周状バンドが容器口部に保持されるプラスチックキャップにおいて、前記周状バンドには取り外しのための弱化部が上下方向に形成され、前記弱化部は薄肉部或いは該薄肉部と切り欠き部との組合せから成り、前記弱化部に対し、周状バンドの開栓方向側端部乃至その近傍に破断可能なブリッジが位置し且つ周状バンドの閉栓方向側端部からブリッジが離隔して位置するように、両ブリッジが前記弱化部に対して非対称に配置されていることを特徴とするプラスチックキャップが提供される。
本発明のキャップにおいては、
１．弱化部に対し開栓方向側バンド端部に位置するブリッジとこのブリッジの閉栓方向側に隣り合ったブリッジとの間に、スカート部下端と周状バンドとのキャップの閉栓方向への係止部が位置しており、且つ弱化部に対し開栓方向側バンド端部に位置するブリッジとこのブリッジの開栓方向側に隣り合ったブリッジとの間には、スカート部下端と周状バンドとの垂直方向への係止部が位置していること、
２．前記弱化部が切り欠き部と少なくとも１個の薄肉連結部とからなり且つ前記連結部は周状バンドの少なくとも下側に設けられていること、
３．前記薄肉部または薄肉連結部が周方向に厚みが減少する勾配を有していること、
４．前記周状バンドが径内向に厚肉となった逆Ｌ字型断面構造の上端部を有すること、
５．前記周状バンドの容器口部のあご部への係止手段が上下に折り曲げ可能な周状のフラップ片であり、該フラップ片が中心側から周状バンドの内面に径方向に延びる幅の広い切り欠き部により周方向に分割されており且つ幅広の切り欠き部間にフラップ片の先端から付け根への途中に至る幅の狭い切り欠き部を備えていること、
６．前記５において、弱化部が幅広の切り欠き部に重なる位置にあること、
７．前記弱化部がスカート部の垂直方向にネジが１条で存在する部分に設けられていること、
８．周状バンドには指の掛かりをよくするためのタブ或いは切り欠き部を設けること、
が好ましい。
本発明によればまた、上記プラスチックキャップと、該プラスチックキャップ内に収納され、容器口部を密封する中栓とからなり、
前記中栓は、容器口部が挿入される溝を備えたフランジ部と、フランジ部の下部の内周側に形成された水平壁と、フランジ部の内周上部に設けられた注ぎ口と、水平壁の開口予定部と、開口予定部を区画する開口用スコアと、開口予定部に設けられた開口用タブとから形成されており、
前記フランジ部の下部内周には下方への筒状延長部からなる容器口部のガイドが形成されており、
前記フランジ部の外周下部には薄片状の突起部が形成されており、プラスチックキャップのネジの上部にはこの薄片状突起部と係止可能な環状突起部が形成されていることを特徴とする中栓付プラスチックキャップが提供される。 
提供される。